(57)【特許請求の範囲】
【請求項１】
下面と、上面と、これら下面と上面の両側部を接続する左右の側面と、これら下面と上面を接続する前後面とからなり、左右の側面を合わせて直線状に並べられ前面に接してコンクリートが打設されるコンクリートダム堤体用プレキャストコンクリートブロックにおいて、
前記下面と上面と前面とにわたって貫通する凹部が、左右の側面方向に間隔をおいて複数形成され、
前記後面をなす第１外壁と、前記第１外壁の左右側部から前記前面にわたって延在すると共に、前記下面と上面にわたって延在する第２、第３外壁と、これら第２、第３外壁に挟まれた前記第１外壁の箇所から前記前面にわたって延在すると共に、前記下面と上面にわたって延在する中間壁とを備え、
前記凹部は前記第１、第２外壁と前記中間壁によって囲まれた空間と、前記第１、第３外壁と前記中間壁とによって囲まれた空間とから形成され、
前記前面は、前記第２外壁の先端面と、第３外壁の先端面と、前記中間壁の先端面により構成され、
それらの先端面は下向きの傾斜面をなし、
前記第１外壁は前記傾斜面と同じ方向に偏位する複数の段部から構成され、
前記第２、第３外壁と中間壁が前記段部に対応する形状となるように構成され、
前記上面は、前記第１外壁の上面と、前記第２外壁の上面と、第３外壁の上面と、前記中間壁の上面により構成され、
それらの上面は同一平面上を延在し、
前記下面は、前記第１外壁の下面と、前記第２外壁の下面と、第３外壁の下面と、前記中間壁の下面により構成され、
それらの下面は前記上面と平行する同一平面上を延在し、
前記第２外壁の上面と、第３外壁の上面と、前記中間壁の上面にそれぞれ同一形状の嵌合用凸部が形成され、
前記第２外壁の下面と、第３外壁の下面と、前記中間壁の下面に前記嵌合用凸部に嵌合可能な嵌合用凹部がそれぞれ形成され、
２つのプレキャストコンクリートブロックがそれらの上面と下面が重ね合わされた状態で、前記嵌合用凸部と嵌合用凹部が互いに嵌合することで前記プレキャストコンクリートブロックの位置決めがなされ、
さらに、前記第２外壁の先端面をなす下向きの傾斜面と、第３外壁の先端面をなす下向きの傾斜面と、前記中間壁の先端面をなす下向きの傾斜面にそれぞれ前方に突出するジベルが設けられている、
ことを特徴とするコンクリートダム堤体用プレキャストコンクリートブロック。
【請求項２】
下面と、上面と、これら下面と上面の両側部を接続する左右の側面と、これら下面と上面を接続する前後面とからなり、左右の側面を合わせて直線状に並べられ前面に接してコンクリートが打設されるコンクリートダム堤体用プレキャストコンクリートブロックにおいて、
前記下面と上面と前面とにわたって貫通する凹部が、左右の側面方向に間隔をおいて複数形成され、
前記後面をなす第１外壁と、前記第１外壁の左右側部から前記前面にわたって延在すると共に、前記下面と上面にわたって延在する第２、第３外壁と、これら第２、第３外壁に挟まれた前記第１外壁の箇所から前記前面にわたって延在すると共に、前記下面と上面にわたって延在する中間壁とを備え、
前記凹部は前記第１、第２外壁と前記中間壁によって囲まれた空間と、前記第１、第３外壁と前記中間壁とによって囲まれた空間とから形成され、
前記前面は、前記第２外壁の先端面と、第３外壁の先端面と、前記中間壁の先端面により構成され、
それらの先端面は下向きの傾斜面をなし、
前記第１外壁は前記傾斜面と同じ方向に傾斜して設けられ、
前記第２、第３外壁と中間壁が前記第１外壁の傾斜に対応する形状となるように構成され、
前記上面は、前記第１外壁の上面と、前記第２外壁の上面と、第３外壁の上面と、前記中間壁の上面により構成され、
それらの上面は同一平面上を延在し、
前記下面は、前記第１外壁の下面と、前記第２外壁の下面と、第３外壁の下面と、前記中間壁の下面により構成され、
それらの下面は前記上面と平行する同一平面上を延在し、
前記第２外壁の上面と、第３外壁の上面と、前記中間壁の上面にそれぞれ同一形状の嵌合用凸部が形成され、
前記第２外壁の下面と、第３外壁の下面と、前記中間壁の下面に前記嵌合用凸部に嵌合可能な嵌合用凹部がそれぞれ形成され、
２つのプレキャストコンクリートブロックがそれらの上面と下面が重ね合わされた状態で、前記嵌合用凸部と嵌合用凹部が互いに嵌合することで前記プレキャストコンクリートブロックの位置決めがなされ、
さらに、前記第２外壁の先端面をなす下向きの傾斜面と、第３外壁の先端面をなす下向きの傾斜面と、前記中間壁の先端面をなす下向きの傾斜面にそれぞれ前方に突出するジベルが設けられている、
ことを特徴とするコンクリートダム堤体用プレキャストコンクリートブロック。
【発明の詳細な説明】
【０００１】
【発明の属する技術分野】
本発明は、コンクリートダム堤体用プレキャストコンクリートブロックに関する。
【０００２】
【従来の技術】
コンクリートダム堤体を施工する工法としては、（１）鋼製または木製の型枠を使用する工法、（２）プレキャストコンクリート型枠を使用する工法、（３）プレキャストコンクリートブロックを使用する工法などがある。
以下、これらの工法についてそれぞれ説明する。
【０００３】
（１）鋼製または木製の型枠を使用する工法
図１６は鋼製または木製の型枠を使用する工法の説明図であり、図１６（Ａ）は全体説明図、図１６（Ｂ）は図１６（Ａ）の矢印Ａ部分の拡大説明図である。図１７は図１６（Ｂ）を矢印Ｂ方向から見た状態を示す説明図、図１８は図１６（Ｂ）を矢印Ｃ方向から見た状態を示す説明図である。
コンクリートダム１０は次のような手順で構築される。すなわち、鋼製または木製の型枠１２を左右方向に接続することで１段分のユニットを構成する。そして、このユニットすなわち型枠１２で囲まれた空間内にコンクリートを打設することで１段分の堤体２０を構築する。１段分のコンクリート打設が完了すると、型枠１２を上方に移動させ、同様にユニットを構成しコンクリートを打設する。このような手順を繰り返すことで堤体２０を構築する。
この際、型枠１２の位置決めは、堤体２０内側に埋設させた金物に型枠固定用治具であるセパレータ１６を取り付け、支保工１４によって型枠１２をセパレータ１６に固定することで行なわれている。
また、支保工１４には堤体２０の外部に作業足場１８が設けられる。
【０００４】
しかしながら、この工法では次のような欠点がある。
第１にセパレータ１６の取り付け、取り外しの作業や型枠１２の取り付け、解体の作業は堤体２０の上部に行くほど高所での危険作業となる。特に、セパレータ１６の取り付け、取り外しの作業は堤体２０の外部から行うため危険である。
第２に型枠１２を取り外した後は、堤体２０の表面が外気にさらされるため、強度が充分に発現するまで散水養生を行う必要があり、この散水によって堤体１２の表面が汚れる。
第３に打設されたコンクリートの強度が必要強度に達するまで型枠１２の解体ができないので、数多くの型枠１２を必要とする。
これらの欠点を解消する工法として以下に示すプレキャストコンクリート型枠を使用する工法とプレキャストコンクリートブロックを使用する工法がある。
【０００５】
（２）プレキャストコンクリート型枠を使用する工法
図１９はプレキャストコンクリート型枠の構成を示す斜視図、図２０はプレキャストコンクリート型枠を用いた工法の説明図、図２１は図２０を矢印Ｄ方向から見た状態を示す説明図、図２２は図２０を矢印Ｅ方向から見た状態を示す説明図である。
図１９に示されているように、プレキャストコンクリート型枠３０は、板状に形成され堤体２０に接してコンクリートが打設される型枠面３２にジベル筋３４と、取付治具３６とが配設されている。
【０００６】
そして、図２０乃至図２２に示されているように、前述した木製または鋼製の型枠を使用した工法と同様にプレキャストコンクリート型枠３０を左右方向に接続することで１段分のユニットを構成し、プレキャストコンクリート型枠３０で囲まれた空間内にコンクリートを打設することで１段分の堤体２０を構築する。１段分のコンクリート打設が完了すると、プレキャストコンクリート型枠３０の上部に接続してプレキャストコンクリート型枠３０を左右方向に接続することで１段分のユニットを構成しコンクリートを打設する。プレキャストコンクリート型枠３０は常に１段分先行して組み立てられる。このような手順を繰り返すことで堤体２０を構築する。
なお、プレキャストコンクリート型枠３０の固定は次のように行なわれる。すなわち、堤体２０内部に型枠固定用の固定材３８を埋設し、この固定材３８とプレキャストコンクリート型枠３０の取付治具３６との間を緊結材４０で連結する。緊結材４０と固定材３８および取付治具３６との接合は溶接やボルトによって行われる。
【０００７】
（３）プレキャストコンクリートブロックを用いた工法
図２３は、垂直用のプレキャストコンクリートブロックの説明図であり、図２３（Ａ）は左側面図、図２３（Ｂ）は正面図、図２３（Ｃ）は組み立て状態を示す説明図である。図２４は、傾斜用のプレキャストコンクリートブロックの説明図であり、図２４（Ａ）は右側面図、図２４（Ｂ）は正面図、図２４（Ｃ）は組み立て状態を示す説明図である。
図２３（Ａ）乃至（Ｃ）に示されているように、垂直用のプレキャストコンクリートブロック４０は、下面４０Ａと、上面４０Ｂ、これら下面４０Ａと上面４０Ｂの両側部を接続する両側面４０Ｃ、４０Ｄと、これら下面と上面を接続する前後面４０Ｅ、４０Ｆとから構成されている。前面４０Ｅには複数個のジベル筋４２が突設されている。下面４０Ａ、上面４０Ｂはそれぞれ水平方向に延在する平面をなし、側面４０Ｃ、側面４０Ｄ、前面４０Ｅ、後面４０Ｆはそれぞれ垂直方向に延在する平面をなしている。
【０００８】
また、プレキャストコンクリートブロック４０を上下に積み重ねた場合に、上面４０Ｂに設けられた嵌合用凸部４４が下面４０Ａの嵌合用凹部４６に嵌合することで上下に積み重ねられたプレキャストコンクリートブロック４０の位置決めが行なわれるように構成されている。
また、図２３（Ｃ）に示されている垂直用のプレキャストコンクリートブロック４０は、上下に積み重ねることで前面４０Ｅが垂直方向に延在する平面を構成するように構成されている。
【０００９】
一方、図２４（Ａ）乃至（Ｃ）に示されている傾斜用のプレキャストコンクリートブロック５０は、下面５０Ａと、上面５０Ｂ、これら下面５０Ａと上面５０Ｂの両側部を接続する両側面５０Ｃ、５０Ｄと、これら下面と上面を接続する前後面５０Ｅ、５０Ｆとから構成されている。前面５０Ｅには複数個のジベル筋５２が突設されている。前面５０Ｅは下向きの傾斜面をなし、下面５０Ａ、上面５０Ｂ、側面５０Ｃ、側面５０Ｄ、後面５０Ｆはそれぞれ垂直方向に延在する平面をなしている。
プレキャストコンクリートブロック５０を上下に積み重ねた場合に、上面５０Ｂに設けられた嵌合用凸部５５が下面５０Ａの嵌合用凹部５６に嵌合することで上下に積み重ねられたプレキャストコンクリートブロック５０の位置決めが行なわれるように構成されていることは垂直用のプレキャストコンクリートブロック４０と同じである。
プレキャストコンクリートブロック５０を上下に積み重ねることで前面５０Ｅが下向きに傾斜する平面を構成するように構成されている。
【００１０】
垂直用のプレキャストコンクリート４０を用いてダムを構築する場合の手順は以下のとおりである。
複数個のプレキャストコンクリートブロック４０を左右の側面４０Ｃ、４０Ｄを合わせて直線状に並べることによってプレキャストコンクリートブロック４０の前面４０Ｅで囲まれた空間を構成し、前述したプレキャストコンクリート型枠の場合と同様にこの空間内に前面４０Ｅに接してコンクリートが打設されることで１段分の堤体２０を構築する。
１段分のコンクリート打設が完了すると、プレキャストコンクリートブロック４０の上部に接続してプレキャストコンクリートブロック４０を左右方向に接続することで１段分のユニットを構成しコンクリートを打設する。プレキャストコンクリートブロック４０は常に１段分先行して組み立てられる。このような手順を繰り返すことで堤体２０を構築する。
なお、プレキャストコンクリートブロック４０の固定は次のように行なわれる。すなわち、堤体２０内部に埋設されたブロック固定用の固定材とプレキャストコンクリートブロック４０のジベル筋４２とを溶接することで行われる。
傾斜用のプレキャストコンクリートブロック５０についても同様の手順であることはいうまでもない。
【００１１】
【発明が解決しようとする課題】
上述したプレキャストコンクリート型枠を使用する工法およびプレキャストコンクリートブロックを使用する工法によれば、前述した（１）の工法の欠点が解消される。
すなわち、第１にセパレータの取り付け、取り外しの作業が不要となり作業の安全性が向上される。第２にプレキャストコンクリート型枠とプレキャストコンクリートブロックは充分な強度が発現しているため、コンクリートの散水養生が不要となり堤体の表面の汚れも少なくて済む。第３にプレキャストコンクリート型枠とプレキャストコンクリートブロックは打設されたコンクリートと一体化するため、型枠の解体が不要となる。
しかしながら、（２）のプレキャストコンクリート型枠を用いた工法によれば次のような欠点がある。
すなわち、プレキャストコンクリート型枠３０の型枠面３２に設けられているジベル筋３４の配設間隔は例えばプレキャストコンクリート型枠３０の長手方向で１ｍ程度である。つまり、型枠面３２の外周縁部からジベル筋３４の配設位置が離れているため、型枠面３２と堤体２０を構成するコンクリートの間における温度差や湿度差によってプレキャストコンクリート型枠３０が反るなどの変形が生じ易く、したがって、型枠面３２と堤体２０を構成するコンクリートの界面にひび割れが生じるおそれがある。
【００１２】
一方、（３）のプレキャストコンクリートブロックを用いた工法によれば次のような欠点がある。
プレキャストコンクリートブロックは重量が重いため、プレキャストコンクリートブロックの左右方向の寸法を長く設定することができず、設置個数が多くなりがちとなる。特に図２４に示されている傾斜用のプレキャストコンクリートブロックは傾斜した形状であるため、容積が大きくなり重量が重くなりがちである。また、重量の重いプレキャストコンクリートブロックを運搬するために大型の揚重機が必要である。
本発明は前記事情に鑑み案出されたものであって、本発明の目的は、重量を低減することができるコンクリートダム堤体用プレキャストコンクリートブロックを提供することにある。
【００１３】
【課題を解決するための手段】
前記目的を達成するため本発明は、下面と、上面と、これら下面と上面の両側部を接続する左右の側面と、これら下面と上面を接続する前後面とからなり、左右の側面を合わせて直線状に並べられ前面に接してコンクリートが打設されるコンクリートダム堤体用プレキャストコンクリートブロックにおいて、前記下面と上面と前面とにわたって貫通する凹部が、左右の側面方向に間隔をおいて複数形成され、前記後面をなす第１外壁と、前記第１外壁の左右側部から前記前面にわたって延在すると共に、前記下面と上面にわたって延在する第２、第３外壁と、これら第２、第３外壁に挟まれた前記第１外壁の箇所から前記前面にわたって延在すると共に、前記下面と上面にわたって延在する中間壁とを備え、前記凹部は前記第１、第２外壁と前記中間壁によって囲まれた空間と、前記第１、第３外壁と前記中間壁とによって囲まれた空間とから形成され、前記前面は、前記第２外壁の先端面と、第３外壁の先端面と、前記中間壁の先端面により構成され、それらの先端面は下向きの傾斜面をなし、前記第１外壁は前記傾斜面と同じ方向に偏位する複数の段部から構成され、前記第２、第３外壁と中間壁が前記段部に対応する形状となるように構成され、前記上面は、前記第１外壁の上面と、前記第２外壁の上面と、第３外壁の上面と、前記中間壁の上面により構成され、それらの上面は同一平面上を延在し、前記下面は、前記第１外壁の下面と、前記第２外壁の下面と、第３外壁の下面と、前記中間壁の下面により構成され、それらの下面は前記上面と平行する同一平面上を延在し、前記第２外壁の上面と、第３外壁の上面と、前記中間壁の上面にそれぞれ同一形状の嵌合用凸部が形成され、前記第２外壁の下面と、第３外壁の下面と、前記中間壁の下面に前記嵌合用凸部に嵌合可能な嵌合用凹部がそれぞれ形成され、２つのプレキャストコンクリートブロックがそれらの上面と下面が重ね合わされた状態で、前記嵌合用凸部と嵌合用凹部が互いに嵌合することで前記プレキャストコンクリートブロックの位置決めがなされ、さらに、前記第２外壁の先端面をなす下向きの傾斜面と、第３外壁の先端面をなす下向きの傾斜面と、前記中間壁の先端面をなす下向きの傾斜面にそれぞれ前方に突出するジベルが設けられていることを特徴とする。
また、本発明は、下面と、上面と、これら下面と上面の両側部を接続する左右の側面と、これら下面と上面を接続する前後面とからなり、左右の側面を合わせて直線状に並べられ前面に接してコンクリートが打設されるコンクリートダム堤体用プレキャストコンクリートブロックにおいて、前記下面と上面と前面とにわたって貫通する凹部が、左右の側面方向に間隔をおいて複数形成され、前記後面をなす第１外壁と、前記第１外壁の左右側部から前記前面にわたって延在すると共に、前記下面と上面にわたって延在する第２、第３外壁と、これら第２、第３外壁に挟まれた前記第１外壁の箇所から前記前面にわたって延在すると共に、前記下面と上面にわたって延在する中間壁とを備え、前記凹部は前記第１、第２外壁と前記中間壁によって囲まれた空間と、前記第１、第３外壁と前記中間壁とによって囲まれた空間とから形成され、前記前面は、前記第２外壁の先端面と、第３外壁の先端面と、前記中間壁の先端面により構成され、それらの先端面は下向きの傾斜面をなし、前記第１外壁は前記傾斜面と同じ方向に傾斜して設けられ、前記第２、第３外壁と中間壁が前記第１外壁の傾斜に対応する形状となるように構成され、前記上面は、前記第１外壁の上面と、前記第２外壁の上面と、第３外壁の上面と、前記中間壁の上面により構成され、それらの上面は同一平面上を延在し、前記下面は、前記第１外壁の下面と、前記第２外壁の下面と、第３外壁の下面と、前記中間壁の下面により構成され、それらの下面は前記上面と平行する同一平面上を延在し、前記第２外壁の上面と、第３外壁の上面と、前記中間壁の上面にそれぞれ同一形状の嵌合用凸部が形成され、前記第２外壁の下面と、第３外壁の下面と、前記中間壁の下面に前記嵌合用凸部に嵌合可能な嵌合用凹部がそれぞれ形成され、２つのプレキャストコンクリートブロックがそれらの上面と下面が重ね合わされた状態で、前記嵌合用凸部と嵌合用凹部が互いに嵌合することで前記プレキャストコンクリートブロックの位置決めがなされ、さらに、前記第２外壁の先端面をなす下向きの傾斜面と、第３外壁の先端面をなす下向きの傾斜面と、前記中間壁の先端面をなす下向きの傾斜面にそれぞれ前方に突出するジベルが設けられていることを特徴とする。
【００１４】
本発明のコンクリートダム堤体用プレキャストコンクリートブロックによれば、前記下面と上面と前面とにわたって貫通する凹部が、左右の側面方向に間隔をおいて複数形成されているため、従来に比較してこれら凹部の容積分だけ重量を削減することができる。
【００１５】
そのため、コンクリートダム堤体用プレキャストコンクリートブロックの左右方向の寸法を長く設定することができ、設置個数を従来よりも減らすことが可能となる。また、コンクリートダム堤体用プレキャストコンクリートブロックを運搬するための揚重機が小型のもので済む。
【００１６】
【発明の実施の形態】
本発明の参考例であるプレキャストコンクリート型枠について説明する。
図１は本発明の参考例に係るプレキャストコンクリート型枠の実施の形態を示す説明図であり、図１（Ａ）は側面図、図１（Ｂ）は平面図である。
図２は取付治具近傍の構造を示す説明図、図３は取付治具の構造を示す説明図、図４はプレキャストコンクリート型枠を垂直方向に積み重ねた状態を示す説明図、図５はプレキャストコンクリート型枠を階段状に積み重ねた状態を示す説明図、図６はプレキャストコンクリート型枠を傾斜させて積み重ねた状態を示す説明図である。
【００１７】
図１に示されているように、プレキャストコンクリート型枠１００は、平面視矩形状を呈する板状に形成され、コンクリートが打設される型枠面１０２、この型枠面１０２の後面をなす背面１０４、これら型枠面１０２および背面１０４の四辺を接続する上側面１０６、下側面１０８、左側面１１０、右側面１１２を有している。
図２に示されているように、プレキャストコンクリート型枠１００は、その内部に型枠面１０２と平行し互いに直交して直線状に延在する網目状の補強鉄筋１１４が埋設されている。
【００１８】
図１（Ｂ）に示されているように、型枠面１０２は、この型枠面１０２の外周縁近傍に沿って延在する環状領域１１６と、前記環状領域１１６で囲まれた中央領域１１８とに区画されている。
そして、環状領域１１６と中央領域１１８には、構造用鉄筋からなるジベル筋（特許請求の範囲のジベルに相当）１２０が前記型枠面１０２からその外方へ向けて突設されている。
ジベル筋１２０は環状領域１１６内および中央領域１１８内で互いに間隔をおいて設けられている。本例では、環状領域１１６内に２０個のジベル筋１２０が配設され、中央領域１１８内に２個のジベル筋１２０が配設されている。また、各ジベル筋１２０は、例えば環状に形成されている。
そして、環状領域１１６内で隣り合うジベル筋１２０同士の間隔が中央領域１１８内で隣り合うジベル筋１２０同士の間隔よりも狭くなるように構成されている。
また、本例では、型枠面１０２に６個の取付金具１２２が型枠面１０２からその外方へ向けて突設されている。
【００１９】
図２、図３に示されているように、取付金具１２２は、矩形状の鉄板などから構成されており、長手方向の一方の部分が埋設域１２２Ａとしてプレキャストコンクリート型枠１００の内部に埋設され、長手方向の他方の部分が取付域１２２Ｂとして型枠面１０２から外方へ臨んでいる。取付域１２２Ｂは打設されたコンクリートに埋設される後述の固定材３８に取り付けられるようになっている。
そして、埋設域１２２には取付金具１２２の厚さ方向に２本の鉄筋１２４が互いに間隔をおいて貫通された状態で溶接されており、埋設域１２２Ａと鉄筋１２６がプレキャストコンクリート型枠１００の内部に埋設されることで取付金具１２２はプレキャストコンクリート型枠１００と一体的に固定されている。
【００２０】
次に、上述のように構成されたプレキャストコンクリート型枠を使用した工法について説明する。
図４に示されているように、複数個のプレキャストコンクリートブロック１００を左右の側面１１０、１１２を合わせて直線状に並べることによってプレキャストコンクリートブロック１００の型枠面１０２で囲まれた空間を構成する。
プレキャストコンクリート型枠１００を垂直方向に積み重ねて固定する場合には、堤体２０に埋設させた固定材３０とプレキャストコンクリート型枠１００の取付治具１２２との間を緊結材４０で連結する。緊結材４０と固定材３８および取付治具１２２との接合は溶接やボルトによって行われる。
【００２１】
そして、型枠面１０２で囲まれた空間内に型枠面１０２に接してコンクリートが打設されることで１段分の堤体２０を構築する。打設されたコンクリートの上面によってリフト面２０Ａが形成される。
１段分のコンクリート打設が完了すると、プレキャストコンクリート型枠１００の上面１０６上部に接続してプレキャストコンクリート型枠１００を左右方向に接続することで１段分のユニットを構成しコンクリートを打設する。プレキャストコンクリート型枠１００は常に１段分先行して組み立てられる。このような手順を繰り返すことで堤体２０を構築する。
また、上下に積み重ねられたプレキャストコンクリート型枠１００同士は、図４において矢印Ｘで示すように、それぞれ近接する位置に設けられているジベル筋１２２同士を溶接することによって仮止めされる。
なお、図中６０は、図略の揚重機によって上下方向に移動されるフック部であり、プレキャストコンクリート型枠１００は、フック部６０によって釣り下げられた状態で運搬されるようになっている。
また、最上部のリフト面２０Ａにおいては、プレキャストコンクリート型枠１００のジベル筋１２０に作業用手すり１３０が取り付けられている。
【００２２】
図５はプレキャストコンクリート型枠１００を階段状に積み重ねた施工例を示している。図４の例と異なるのは、プレキャストコンクリート型枠１００を上下方向に直線状に積み重ねるのではなく、プレキャストコンクリート型枠１００を１段ずつ水平方向に偏位させながら積み重ねることで上向きに傾斜する堤体２０を構築している点であり、他の点は図４の例と同じである。
【００２３】
図６はプレキャストコンクリート型枠１００を傾斜して積み重ねた施工例を示している。図５の例と異なるのは、プレキャストコンクリート型枠１００を１段ずつ水平方向に偏位させながら積み重ねるのではなく、プレキャストコンクリート型枠１００の型枠面１０２を下向きに傾斜した状態で上下方向に積み重ねることで上向きに傾斜する堤体２０を構築している点であり、他の点は図４の例と同じである。
なお、図６において、フック部６０には型枠保持部６２が釣り下げられており、この型枠保持部６２によってプレキャストコンクリート型枠１００が傾斜した状態で保持されるようになっている。
型枠保持部６２は、フック部６０に釣り下げられる中間部６４と、中間部６４の一端から斜め下方に延出されプレキャストコンクリート型枠１００を傾斜した状態で保持するアーム６６と、アーム６６の重量バランスを取るために中間部６４の他端に設けられたカウンターウエイト６８とを有している。
【００２４】
以上説明した参考例のプレキャストコンクリート型枠によれば、型枠面１０２において環状領域１１６内で隣り合うジベル筋１２０同士の間隔が中央領域１１８内で隣り合うジベル筋１２０同士の間隔よりも狭くなるように構成されている。したがって、環状領域１１６内に配設されるジベル筋１２０の密度が中央領域１１８内に配設されるジベル筋１２０の密度よりも高くなっている。
このため、環状領域１１６内に配設されるジベル筋１２０によってプレキャストコンクリート型枠１００の外周縁部と堤体２０を構成するコンクリートの間は強固に結合される。
したがって、従来と違って、型枠面１０２と堤体２０を構成するコンクリートの間における温度差や湿度差によってプレキャストコンクリート型枠１００が反るなどの変形が防止され、型枠面１０２と堤体２０を構成するコンクリートの界面にひび割れが生じるおそれがないという作用効果を奏することができる。
【００２５】
なお、プレキャストコンクリート型枠１００は充分に強度が発現しているので、コンクリート打設後の散水養生が不要である。また、プレキャストコンクリート型枠１００の背面１０４には必要に応じて模様を付すことが可能である。
また、参考例では、ジベルとして環状に形成されたジベル筋を用いたが、参考例はこれに限定されるものではなく、例えば環状以外の形状のジベル筋、あるいはボルトをジベルとして採用してもよいことはもちろんである。
【００２６】
次に、本発明のコンクリートダム堤体用のプレキャストコンクリートブロックについて説明する。
図７は本発明に係るコンクリートダム堤体用プレキャストコンクリートブロックの第１の実施の形態を示す説明図であり、図７（Ａ）は左側面図、図７（Ｂ）は正面図、図７（Ｃ）は平面図である。
図８は、本発明に係るコンクリートダム堤体用プレキャストコンクリートブロックの第２の実施の形態を示す説明図であり、図８（Ａ）は右側面図、図８（Ｂ）は正面図、図８（Ｃ）は平面図である。
図９は、第２の実施の形態の変形例を示す説明図であり、図９（Ａ）は第１変形例を示す左側面図、図９（Ｂ）は第２変形例を示す左側面図である。
【００２７】
図７において垂直用のプレキャストコンクリートブロック２００は、第１乃至第３外壁２１０、２２０、２３０と、中間壁２４０とから構成されている。
第１外壁２１０は、後面２１２、内側面２１４、これら後面２１２、内側面２１４の上下部を接続する上面２１６、下面２１８を備えている。後面２１２はプレキャストコンクリート２００の後面２００Ａを構成している。
【００２８】
第２、第３外壁２２０、２３０は、第１外壁２１０の内側面２１４の左右側部から前記後面２１２と反対方向に延在している。
中間壁２４０は、第１、第２外壁２１０、２２０に挟まれた内側面２１４の箇所から前記後面２１２と反対側に延在している。
そして、第１外壁２１０の上面２１６と、第２外壁２２０の上面２２２と、第３外壁２３０の上面２３２と、中間壁２４０の上面２４２とは同一平面をなし、プレキャストコンクリートブロック２００の上面２００Ｂ（特許請求の範囲の上面に相当）を構成している。
同様に、第１外壁２１０の下面２１８と、第２外壁２２０の下面２２４と、第３外壁２３０の下面２３４と、中間壁２４０の下面２４４とは同一平面をなし、プレキャストコンクリート２００の下面２００Ｃ（特許請求の範囲の下面に相当）を構成している。
【００２９】
第２外壁２２０と第３外壁２３０の互いに対向する側面のうち外方に面した側面２２８と側面２３８は、プレキャストコンクリートブロック２００の左右の側面２００Ｄ、２００Ｅ（特許請求の範囲の左右の側面に相当）をそれぞれ構成している。
第２外壁２２０、第３外壁２３０、中間壁２４０の内側面２１４に対向する先端面である側面２２９、２３９、２４９は、プレキャストコンクリートブロック２００の前面２００Ｆ（特許請求の範囲の前面に相当）を構成している。そして、側面２２９、２３９、２４９からこれらの外方に向かってジベル筋２５４が突設されている。
【００３０】
したがって、第２、第３外壁２２０、２３０は、第１外壁２１０の左右側部からプレキャストコンクリート２００の前面２００Ｆにわたって延在すると共に、プレキャストコンクリート２００の下面２００Ｃと上面２００Ｂにわたって延在している。
また、中間壁２４０は、第２、第３外壁２２０、２３０に挟まれた第１外壁２１０の箇所からプレキャストコンクリート２００の前面２００Ｆにわたって延在すると共に、プレキャストコンクリート２００の下面２００Ｃと上面２００Ｂにわたって延在している。
【００３１】
そして、第２外壁２２０と第３外壁２３０の対向する側面のうち、内方に臨む側面２２７、２３７は、中間壁２４０の側面２４７Ａ、２４７Ｂにそれぞれ対面している。
したがって、前記第２外壁２２０の側面２２７と前記中間壁２４０の側面２４７Ａと第１外壁２１０の内側面２１４によって囲まれることで空間２５０が形成されている。
また、前記第３外壁２３０の側面２３７と前記中間壁２４０の側面２４７Ｂと第１外壁２１０の内側面２１４によって囲まれることで空間２５２が形成されている。
すなわち、これら空間２５０、２５２によってプレキャストコンクリートブロック２００の下面２００Ｃと上面２００Ｂと前面２００Ｆとにわたって貫通する凹部（特許請求の範囲の凹部に相当）が構成されている。そして、この凹部は、プレキャストコンクリートブロック２００の左右の側面２２８、２３８方向に間隔をおいて複数形成されている。
【００３２】
また、第２、第３外壁２２０、２３０と中間壁２４０の上面２２２、２３２、２４２には嵌合用凸部２２２Ａ、２３２Ａ、２４２Ａが形成され、第２、第３外壁２２０、２３０と中間壁２４０の下面２２４、２３４、２４４には嵌合用凹部部２２４Ａ、２３４Ａ、２４４Ａが形成されている。
そして、２つのプレキャストコンクリートブロック２００がそれらの下面２００Ｃと上面２００Ｂが重ね合わされた状態で、前記嵌合用凸部２２２Ａ、２３２Ａ、２４２Ａと嵌合用凹部２２４Ａ、２３４Ａ、２４４Ａが互いに嵌合することで前記プレキャストコンクリートブロック２００の位置決めがなされるように構成されている。
【００３３】
次に、上述のように構成されたプレキャストコンクリートブロック２００を用いてダムを構築する場合の手順について説明する。
すなわち、複数個のプレキャストコンクリートブロック２００を左右の側面２２８、２３８（２００Ｄ、２００Ｅ）を合わせて直線状に並べることによってプレキャストコンクリートブロック２００の前面２００Ｆで囲まれた空間を構成し、この空間内に前面２００Ｆに接してコンクリートが打設されることで１段分の堤体を構築する。
１段分のコンクリート打設が完了すると、プレキャストコンクリートブロック２００の上部に接続してプレキャストコンクリートブロック２００を左右方向に接続することで１段分のユニットを構成しコンクリートを打設する。プレキャストコンクリートブロック２００は常に１段分先行して組み立てられる。このような手順を繰り返すことで堤体を構築する。
プレキャストコンクリートブロック２００の固定は従来と同様に、堤体内部に埋設されたブロック固定用の固定材とプレキャストコンクリートブロック２００のジベル筋２５４とを溶接することで行われる。
【００３４】
以上説明した本実施の形態のプレキャストコンクリートブロックによれば、打設されたコンクリートは、プレキャストコンクリートブロック２００に形成された空間２５０、２５２内に充填される。
したがって、コンクリートは、プレキャストコンクリート２００の前面２００Ｆを構成する第２外壁２２０、第３外壁２３０、中間壁２４０の内側面２１４に対向する側面２２９、２３９、２４９に接するだけでなく、空間２５０、２５２すなわち凹部を構成する箇所に接する。
つまり、打設されたコンクリートは、空間２５０を囲む箇所、すなわちプレキャストコンクリート２００の第２外壁２２０の側面２２７、第１外壁２１０の内側面２１４、中間壁２４０の側面２４７Ａに接する。また、打設されたコンクリートは、空間２５２を囲む箇所、すなわち第３外壁２３０の側壁２３７、第１外壁２１０の内側面２１４、中間壁２４０の側面２４７Ｂに接する。
したがって、従来に比較して打設されたコンクリートが接触するプレキャストコンクリートの面積が増大するため、堤体とプレキャストコンクリートを強固に結合することができるという効果が奏される。
【００３５】
また、本実施の形態のプレキャストコンクリートブロックによれば、空間２５０、２５２が形成されているため、従来に比較してこれら空間２５０、２５２の容積分だけ重量を削減することができる。
そのため、プレキャストコンクリートブロックの左右方向の寸法を長く設定することができ、設置個数を従来よりも減らすことが可能となる。
また、プレキャストコンクリートブロックを運搬するための揚重機が小型のもので済む。
【００３６】
図８は、本発明を傾斜用のプレキャストコンクリートに適用した場合を示している。図８において図７と対応する箇所には下２桁が図７と同じ３００番台の符号を付しその説明を省略する。
図８のプレキャストコンクリート３００が図７のプレキャストコンクリート２００と異なるのは、プレキャストコンクリートの前面３００Ｆを構成する第２、第３外壁３２０、３３０の先端面である側面３２９、３３９と、中間壁３４０の先端面である側面３４９とが下向きの傾斜面をなしている点である。これら以外の面、すなわち、プレキャストコンクリートの下面３１８、３２４、３３４、３４４、上面３１６、３２２、３３２、３４２はそれぞれ水平方向に延在する平面をなし、左右の側面３２８、３３８、後面３１２はそれぞれ垂直方向に延在する平面をなしている。
【００３７】
プレキャストコンクリートブロック３００を上下に積み重ねた場合に、上面３００Ｂに設けられた嵌合用凸部３２２Ａ、３３２Ａ、３４２Ａが下面３００Ｃの嵌合用凹部３２４Ａ、３３４Ａ、３４４Ａに嵌合することで上下に積み重ねられたプレキャストコンクリートブロック３００の位置決めが行なわれるように構成されていることは垂直用のプレキャストコンクリートブロック２００と同じである。
そして、プレキャストコンクリートブロック３００を上下に積み重ねることで前面が下向きに傾斜する平面を構成するように構成されている。
このように構成された傾斜用のプレキャストコンクリートブロック３００においても、前述した垂直用のプレキャストコンクリートブロック２００と同様の作用効果が奏されることはもちろんである。
【００３８】
また、図８のプレキャストコンクリートブロック３００では、第１外壁３１０を垂直方向に延在させたが、図９（Ａ）と図９（Ｂ）に示されているように、第１外壁３１０を前面と同じ方向に偏位する複数の段部３１０Ａから構成することもできる。
この場合には、第２、第３外壁３２０、３３０と中間壁３４０を前記段部と対応した形状にしてこれら第２、第３外壁３２０、３３０と中間壁３４０の容積を削減することで重量を減らすことができるという作用効果を得ることができる。
【００３９】
また、図示しないが、第１外壁を前面がなす傾斜面と同じ方向に傾斜して設け、第２、第３外壁と中間壁を第１外壁の傾斜に対応する形状となるように構成しても上記と同様に、第２、第３外壁と中間壁の容積を削減することで重量を減らすことができるという作用効果を得ることができる。
【００４０】
次に、前述したプレキャストコンクリート型枠およびプレキャストコンクリートブロックを用いて構築されたダムの構築例を説明する。
図１０乃至図１５はダムを構成する堤体の第１乃至第６構築例を示す説明図である。
図１０に示されている第１構築例では、堤体２０の一方の側部は、下部位置から上部位置までプレキャストコンクリート型枠１００を垂直方向に積み重ねると共に、他方の側部は、下部位置から中間位置までの間をプレキャストコンクリート型枠１００を傾斜して積み重ね、中間位置から上部位置までの間をプレキャストコンクリート型枠１００を垂直方向に積み重ねることによって下部に比べて上部の幅が狭くなった堤体２０が構成されている。
図１１に示されている第２構築例では、堤体２０の一方の側部は、下部位置から上部位置までプレキャストコンクリート型枠１００を垂直方向に積み重ねると共に、他方の側部は、下部位置から中間位置までの間をプレキャストコンクリート型枠１００を階段状に積み重ね、中間位置から上部位置までの間をプレキャストコンクリート型枠１００を垂直方向に積み重ねることによって下部に比べて上部の幅が狭くなった堤体２０が構成されている。
【００４１】
図１２に示されている第３構築例では、堤体２０の一方の側部は、下部位置から上部位置までプレキャストコンクリート型枠１００を垂直方向に積み重ねると共に、他方の側部は、下部位置から中間位置まで傾斜用のプレキャストコンクリートブロック３００を積み重ね、中間位置から上部位置まで垂直用のプレキャストコンクリートブロック２００を組み合わせて積み重ねることによって下部に比べて上部の幅が狭くなった堤体２０が構成されている。
図１３に示されている第４構築例では、堤体２０の一方の側部は、下部位置から上部位置までプレキャストコンクリート型枠１００を垂直方向に積み重ねると共に、他方の側部は、下部位置から中間位置まで傾斜用のプレキャストコンクリートブロック３００を積み重ね、中間位置から上部位置までプレキャストコンクリート型枠１００を垂直に積み重ねることによって下部に比べて上部の幅が狭くなった堤体２０が構成されている。
【００４２】
図１４に示されている第５構築例では、堤体２０の一方の側部は、下部位置から上部位置まで垂直用のプレキャストコンクリートブロック２００を垂直方向に積み重ねると共に、他方の側部は、下部位置から中間位置まで傾斜用のプレキャストコンクリートブロック３００を積み重ね、中間位置から上部位置まで垂直用のプレキャストコンクリートブロック２００を垂直方向に積み重ねることによって下部に比べて上部の幅が狭くなった堤体２０が構成されている。
図１５に示されている第６構築例では、堤体２０の一方の側部は、下部位置から上部位置まで垂直用のプレキャストコンクリートブロック２００を垂直方向に積み重ねると共に、他方の側部は、下部位置から中間位置までの間をプレキャストコンクリート型枠１００を傾斜して積み重ね、中間位置から上部位置まで垂直用のプレキャストコンクリートブロック２００を垂直方向に積み重ねることによって下部に比べて上部の幅が狭くなった堤体２０が構成されている。
【００４３】
【発明の効果】
以上の説明で明らかなように本発明のコンクリートダム堤体用プレキャストコンクリートブロックによれば、前記下面と上面と前面とにわたって貫通する凹部が、左右の側面方向に間隔をおいて複数形成されているため、従来に比較してこれら凹部の容積分だけ重量を削減することができる。
【００４４】
したがって、コンクリートダム堤体用プレキャストコンクリートブロックの左右方向の寸法を長く設定することができ、設置個数を従来よりも減らすことが可能となる。また、コンクリートダム堤体用プレキャストコンクリートブロックを運搬するための揚重機が小型のもので済む。
【図面の簡単な説明】
【図１】  本発明の参考例に係るプレキャストコンクリート型枠の実施の形態を示す説明図であり、図１（Ａ）は側面図、図１（Ｂ）は平面図である。
【図２】  取付治具近傍の構造を示す説明図である。
【図３】  取付治具の構造を示す説明図である。
【図４】  プレキャストコンクリート型枠を垂直方向に積み重ねた状態を示す説明図である。
【図５】  プレキャストコンクリート型枠を階段状に積み重ねた状態を示す説明図である。
【図６】  プレキャストコンクリート型枠を傾斜させて積み重ねた状態を示す説明図である。
【図７】  本発明に係るコンクリートダム堤体用プレキャストコンクリートブロックの第１の実施の形態を示す説明図であり、図７（Ａ）は左側面図、図７（Ｂ）は正面図、図７（Ｃ）は平面図である。
【図８】  本発明に係るコンクリートダム堤体用プレキャストコンクリートブロックの第２の実施の形態を示す説明図であり、図８（Ａ）は右側面図、図８（Ｂ）は正面図、図８（Ｃ）は平面図である。
【図９】  第２の実施の形態の変形例を示す説明図であり、図９（Ａ）は第１変形例を示す左側面図、図９（Ｂ）は第２変形例を示す左側面図である。
【図１０】  ダムを構成する堤体の第１構築例を示す説明図である。
【図１１】  ダムを構成する堤体の第２構築例を示す説明図である。
【図１２】  ダムを構成する堤体の第３構築例を示す説明図である。
【図１３】  ダムを構成する堤体の第４構築例を示す説明図である。
【図１４】  ダムを構成する堤体の第５構築例を示す説明図である。
【図１５】  ダムを構成する堤体の第６構築例を示す説明図である。
【図１６】  図１６は鋼製または木製の型枠を使用する工法の説明図であり、図１６（Ａ）は全体説明図、図１６（Ｂ）は図１６（Ａ）の矢印Ａ部分の拡大説明図である。
【図１７】  図１６（Ｂ）を矢印Ｂ方向から見た状態を示す説明図である。
【図１８】  図１６（Ｂ）を矢印Ｃ方向から見た状態を示す説明図である。
【図１９】  プレキャストコンクリート型枠の構成を示す斜視図である。
【図２０】  プレキャストコンクリート型枠を用いた工法の説明図である。
【図２１】  図２０を矢印Ｄ方向から見た状態を示す説明図である。
【図２２】  図２０を矢印Ｅ方向から見た状態を示す説明図である。
【図２３】  垂直用のプレキャストコンクリートブロックの説明図であり、図２３（Ａ）は左側面図、図２３（Ｂ）は正面図、図２３（Ｃ）は組み立て状態を示す説明図である。
【図２４】  傾斜用のプレキャストコンクリートブロックの説明図であり、図２４（Ａ）は右側面図、図２４（Ｂ）は正面図、図２４（Ｃ）は組み立て状態を示す説明図である。
【符号の説明】
１００  プレキャストコンクリート型枠
１０２  型枠面
１０４  背面（後面）
１１６  環状領域
１１８  中央領域
１２０  ジベル筋
２００、３００  プレキャストコンクリートブロック
２１２、３１２（３００Ａ）  後面
３００Ｂ  上面
３００Ｃ  下面
２２８、２３８（３００Ｄ）  側面
３２８、３３８（３００Ｅ）  側面
３００Ｆ  前面
２５０、２５２  空間（凹部）
【図１】
0004311588.tif 000002
【図２】
0004311588.tif 000003
【図３】
0004311588.tif 000004
【図４】
0004311588.tif 000005
【図５】
0004311588.tif 000006
【図６】
0004311588.tif 000007
【図７】
0004311588.tif 000008
【図８】
0004311588.tif 000009
【図９】
0004311588.tif 000010
【図１０】
0004311588.tif 000011
【図１１】
0004311588.tif 000012
【図１２】
0004311588.tif 000013
【図１３】
0004311588.tif 000014
【図１４】
0004311588.tif 000015
【図１５】
0004311588.tif 000016
【図１６】
0004311588.tif 000017
【図１７】
0004311588.tif 000018
【図１８】
0004311588.tif 000019
【図１９】
0004311588.tif 000020
【図２０】
0004311588.tif 000021
【図２１】
0004311588.tif 000022
【図２２】
0004311588.tif 000023
【図２３】
0004311588.tif 000024
【図２４】
0004311588.tif 000025